(57)【要約】      （修正有）【課題】  多くの種類の文具類を種類ごとに仕分けして、各収容部に集約的に整然と収容できるようにする。【解決手段】  置き台３上に回転自在に置かれた有底円筒状のと、下部収容筒１と相対的回転可能に下部収容筒の上端部に接合している有底円筒状の上部収容筒２と、置き台３から挿入されて上下部両収容筒の中心線上に沿って貫挿されたボルト４と、ボルトに緩く嵌合して下端５ａがボルトの頭部４ａに上端５ｂが上部収容筒の底部２ａに当接する支持パイプ５を備える。支持パイプ５は、上部収容筒の底部上からボルトにナット６締めすることで、上部収容筒の底部と置き台間に挟着して固定され、下部収容筒内は、支持パイプから周壁１ｂに向かって等間隔に突設した垂直の仕切り板７によって、複数の収容室８に仕切られる。【選択図】図１
0003119063.tif 000002
【実用新案登録請求の範囲】
【請求項１】
置き台上に回転自在に置かれた有底円筒状の下部収容筒と、この下部収容筒と相対的回転可能に該下部収容筒の上端部に接合している有底円筒状の上部収容筒と、置き台の下側からから挿入されて上下部両収容筒の中心線上に沿って貫挿されたボルトと、このボルトに嵌合して下端がボルトの頭部に上端が上部収容筒の底部にそれぞれ当接する支持パイプを備え、支持パイプは、上部収容筒の底部上から上記ボルトにナット締めすることで、上部収容筒の底部と台盤間に挟着して固定され、下部収容筒内は、上記支持パイプから該下部収容筒の周壁に向かって等間隔に突設された垂直の仕切り板によって、複数の収容室に仕切られ、これらの収容室に棚枠が出し入れ可能に収容されている一方、下部収容筒の周壁には該周壁を囲繞してポケットが設けられており、下部収容筒の一つの収容室に対応している周壁部分は該周壁のポケット部分とともに開閉できる扉部に構成されていることを特徴とする事務用小物入れ。
【請求項２】
周壁の一部を形成している扉部は、周壁部分がポケット部分とともに予め切り離された後で、そのポケット部分の外側縁端が隣接したポケット部分の相対向した外側端縁と蝶番により連結されていることを特徴とする請求項１記載の事務用小物入れ。
【請求項３】
上下部両収容筒は相欠きによる接合部により接合されていることを特徴とする請求項１又は２記載の事務用小物入れ。
【考案の詳細な説明】
【技術分野】
【０００１】  本考案は、机上に置いて筆記具、消しゴム、定規、コンパス、クリップ、チューブ入り糊等の文具類を始めとする事務用小物品の格納や取り出しに便利であるように工夫されている、事務用小物入れに関する。
【考案の開示】
【考案が解決しようとする課題】
【０００２】  近時、日常生活や職種・職能等の多様な変化によって文具類等の事務用小物品も多様化しており、特に、文具類は規上や引出しに不規則に雑然と置かれていることが多く、急な用務の場合に必要とする文具の所在が分からず、素早く対応できずに戸惑うということが往々にしてあった。【０００３】  本考案はこのような問題を解決したものであって、その目的は、多くの種類の文具類を仕分けして集約的に整然と収容でき、その取り出しは容易であることは勿論、円筒状とされた上下に連なる収容部の下部側の収容部を回転自在に、かつ回転自在である収容部の周壁の一部を開閉できるようにして、内蔵された物品の選択・使用に便利であり、また、軽量かつ小型化されていて持ち運びも容易である等、利便性に優れた事務用小物入れを提供することにある。
【課題を解決するための手段】
【０００４】  上記目的を達成するために、本考案の特徴とする事務用小物入れは、置き台上に回転自在に置かれた有底円筒状の下部収容筒と、この下部収容筒と相対的回転可能に該下部収容筒の上端部に接合している有底円筒状の上部収容筒と、置き台の下側からから挿入されて上下部両収容筒の中心線上に沿って貫挿されたボルトと、このボルトに嵌合して下端がボルトの頭部に上端が上部収容筒の底部にそれぞれ当接する支持パイプを備え、支持パイプは、上部収容筒の底部上から上記ボルトにナット締めすることで、上部収容筒の底部と台盤間に挟着して固定され、下部収容筒内は、上記支持パイプから該下部収容筒の周壁に向けて等間隔に突設した垂直の仕切り板によって、複数の収容室に仕切られ、これらの収容室に棚枠が出し入れ可能に収容されている一方、下部収容筒の周壁には該周壁を囲繞してポケットが設けられており、下部収容筒の一つの収容室に対応している周壁部分は該周壁のポケット部分とともに開閉できる扉部に構成されている。【０００５】  この事務用小物入れにおいて、周壁の一部を形成している扉部は、周壁部分をポケット部分とともに予め切り離した後に、そのポケットの部分の外側縁端を隣接したポケットの部分の相対向した外側端縁と蝶番により連結して回動自在としたことで、該ポケットの部分とともに開閉できる。また、上下部両収容筒の接合は相欠きによる接合部により果たされ、開閉自在である周壁の一部に存在するポケットの部分の自由端側は下部収容筒の隣接したポケットの部分の外側端縁部分と接合自在とされ、その接合部分はゴム磁石等を用いて仮止めできるように実施する。なお、ポケットは複数に仕切られているのが物品収容上好ましい。【０００６】  本事務用小物入れの素材はボルトとナットを除いて総て合成樹脂板を用いることができるが、ボルトとナットも合成樹脂製とすれば更に軽量化できるものである。なお、ボルトの上端には摘みを螺合により取り付けてもよく、また、必要に応じて上部収容筒内に存在するボルトの部分にもパイプを嵌合してナット締めし、このナットと上部収容筒の底部に締め付けられているナット間にパイプを挟着するように実施することもできる。
【考案の効果】
【０００７】  本考案は上記の如くであって、上部収容筒、下部収容筒の仕切られた収容室、各収容室内にセットされる棚枠及び周壁のポケットを利用して多種類の文具類を使用目的に応じ予備のものも含めて整然と仕分けし集約的に収容でき、格納や取り出しに便利であって必要な物品を素早く選択できる使用上の利点がある。また、下部収容筒は回転自在であって周壁の一部が開閉できる扉部に形成されているため、内蔵されているものも一見して知得でき、各収容部から容易に取り出しができることは勿論、構成部材の殆んどの素材には安価な合成樹脂を用いることができて経済性があり、軽量化と相俟って極めて実用的なものである。
【考案を実施するための最良の形態】
【０００８】  以下に、本考案の実施の一形態を図面を参照して説明する。１は有底円筒状の下部収容筒、２は下部収容筒１と相対的回転可能に該下部収容筒１の上端部に接合している有底円筒状の上部収容筒で、１ａ，２ａはそれらの底部であり、下部収容筒１は後述する仕組によって置き台３上に回転可能に保持されている。置き台３は中心にボルト４の挿通穴３ａが穿設さられている中空体であって、内部には重り３ｂが収容されており、ボルト４は置き台３の下側から挿入され、上下部両収容筒２，１の底部１ａ，２ａを貫通して上方へ延びている。【０００９】５はボルト４に緩く嵌合して、下端５ａがボルト挿通穴３ａを通してボルト４の頭部４ａに、上端５ｂが上部収容筒２の底部２ａにそれぞれ当接する支持パイプであり、この支持パイプ５は、上部収容筒２の底部２ａ上からボルト４にナット６締めすることで、上部収容筒２の底部２ａと置き台３（ボルト４の頭部４ａ）間に挟着状態に固定されている。下部収容筒内１は、支持パイプ５から該下部収容筒１の周壁１ｂに向けて等間隔に突設した垂直の仕切り板７によって、複数（図示の場合は４室）の収容室８に仕切られ、これらの収容室８に棚枠（詳細は後述する）９が出し入れ可能に収容されている。なお、支持パイプ５の上端５ｂは、接合する上部収容筒２の底部２ａとの安定を考慮して、鍔状に形成されている。【００１０】  一方、下部収容筒１の周壁１ｂには該周壁１ｂを囲繞して複数（図示の場合は収容室８に対応させて４個）に仕切られたポケット１１が一体的に設けられており、１１ａは仕切られたポケット部分を示す。下部収容筒１の一つの収容室８に対応している周壁部分はそのポケット部分１１ａとともに開閉できる扉部１ｃに形成されている。この扉部１ｃは、一つの収容室８に対応している周壁部分が該周壁部分に存在するポケット部分１１ａとともに切り離された後で、開閉できるようにり取り付けられている。即ち、扉部１ｃは、そのポケット１１部分１１ａの外側縁端を隣接したポケット１１部分１１ａの相対向した外側縁端と蝶番１２着して回動自在にしたことで、開閉できる仕組になっている。【００１１】  また、上下部両収容筒２，１の接合は該両収容筒の相対向した周縁の相欠きによる接合部２ｂ，１ｄにより果たされている一方、扉部１ｃに存在するポケット１１部分１１ａの自由端側は隣接したポケット部分１１ａの外側縁端部分と接合自在とされ、その接合部分は仮止めできるようにＮ・Ｓのゴム磁石１３ａ，１３ｂが接着されている。棚枠９は収容室８の平面形状にほぼ対応した断面形状に形成されている３段棚構造であって、９ａはその内周面部に張設されている上下２段の棚板、９ｂは底板である。この棚枠９は、収容室８内に収容された時には、下部収容筒１の周壁１ｂの内周面に接触しない奥行きに、また上部収容筒２の底部２ａに接触しない高さに形成されている。【００１２】  本事務用小物入れの素材はボルトとナットを除いて総て合成樹脂板を用いることができるが、ボルトとナットも合成樹脂製とすれば更に軽量化できるものである。なお、扉部１ｃのポケット部分１１ａの自由端側には開閉操作用の指掛け（ビス状のものでよい）１４が固定されている。ボルト４の先端部１ｂには摘���１５を螺合により取り付けてもよく、また、必要に応じて上部収容筒２内に存在するボルト４の部分にもパイプ１６を緩く嵌合し、これを上端側よりナット１７締めして、ナット１７と上部収容筒２の底部２ａ上のナット６間にパイプ１６を挟着して固定する。
【図面の簡単な説明】
【００１３】
【図１】  下部収容筒の扉部が開放されている本考案の実施例の一形態を示す図２のＢ−Ｂ線断面図である。
【図２】  図１のＡ−Ａ線断面図である。
【図３】  図１に示されている棚枠の斜視図である。
【符号の説明】
【００１４】  １は下部収容筒、１ａは底部、１ｂは周壁、１ｃは扉部、１ｄは接合部、２は上部収容筒、２ａは底部、２ｂは接合部、３は置き台、３ａは挿通穴、４はボルト、４ａは頭部、５は支持パイプ、５ａは下端、５ｂは上端、６はナット、７は仕切り板、８は収容室、９は棚枠、９ａは棚板、１１はポケット、１１ａは仕切られたポケット部分、１２は蝶番、１３ａ，１３ｂはゴム磁石である。
【図１】
0003119063.tif 000003
【図２】
0003119063.tif 000004
【図３】
0003119063.tif 000005